(57)【要約】  医療システムは以下を有する：短距離無線通信を介して互いに通信し合う複数のネットワークノード１２，１４を有する医療ボディエリアネットワーク（ＭＢＡＮ）システム１０、ＭＢＡＮシステム１０は短距離無線通信用の動作チャネル若しくは周波数を選択するスペクトル制御サブモジュール５２を含む；及びＭＢＡＮシステムとともに配置される無線周波数識別（ＲＦＩＤ）タグ６０。スペクトル制御サブモジュールはＲＦＩＤタグの記録によって示されるようにＭＢＡＮシステムが医療施設内にあることを条件として（１）デフォルトスペクトルと（２）ＭＢＡＮシステムによる利用を許可される制限スペクトルとの組み合わせを有するスペクトルから動作チャネル若しくは周波数を選択する。スペクトル制御サブモジュールはＲＦＩＤタグの記録によって示されるようにＭＢＡＮシステムが医療施設内にないことを条件としてデフォルトスペクトルのみを有するスペクトルから動作チャネル若しくは周波数を選択する。
2013524712.tif 000002
【特許請求の範囲】
【請求項１】
選択される動作チャネル若しくは周波数において短距離無線通信を介して互いに通信し合う複数のネットワークノードを有する医療ボディエリアネットワークシステムを動作させるステップと、
前記医療ボディエリアネットワークシステムと関連する無線周波数識別タグによって示されるように前記医療ボディエリアネットワークシステムが医療施設内にあることを条件として、デフォルトスペクトルと追加スペクトルを有する広域スペクトルから前記動作チャネル若しくは周波数を選択するステップと、
前記医療ボディエリアネットワークシステムと関連する前記無線周波数識別タグによって示されるように前記医療ボディエリアネットワークシステムが前記医療施設外にあることを条件として、前記追加スペクトルでなく前記デフォルトスペクトルから前記動作チャネル若しくは周波数を選択するステップと
を有する方法。
【請求項２】
（i）前記医療施設の比較的より内側にある第１の無線周波数識別リーダが前記無線周波数識別タグを検出し、続いて（ｉｉ）前記医療施設の比較的より外側にある第２の無線周波数識別リーダが前記無線周波数識別タグを検出することに基づいて前記医療ボディエリアネットワークシステムが前記医療施設外にあることを検出するステップをさらに有する、請求項１に記載の方法。
【請求項３】
（i）前記医療施設の比較的より外側にある第２の無線周波数識別リーダが前記無線周波数識別タグを検出し、続いて（ｉｉ）前記医療施設の比較的より内側にある第１の無線周波数識別リーダが前記無線周波数識別タグを検出することに基づいて前記医療ボディエリアネットワークシステムが前記医療施設内にあることを検出するステップをさらに有する、請求項１乃至２のいずれか一項に記載の方法。
【請求項４】
各患者入口／出口が前記医療施設の比較的より内側にある第１の無線周波数識別リーダとともに前記医療施設の比較的より外側にある第２の無線周波数識別リーダを備え、前記方法が、
前記無線周波数識別タグを検出する最後の無線周波数識別リーダが前記第２の無線周波数識別リーダの１つであることに基づいて前記医療ボディエリアネットワークシステムが前記医療施設外にあることを検出するステップをさらに有する、
請求項１に記載の方法。
【請求項５】
各患者入口／出口が前記医療施設の比較的より内側にある第１の無線周波数識別リーダとともに前記医療施設の比較的より外側にある第２の無線周波数識別リーダを備え、前記方法が、
前記無線周波数識別タグを検出する最後の無線周波数識別リーダが前記第１の無線周波数識別リーダの１つであることに基づいて前記医療ボディエリアネットワークシステムが前記医療施設内にあることを検出するステップをさらに有する、
請求項１に記載の方法。
【請求項６】
医療システムであって、
短距離無線通信を介して互いに通信し合う複数のネットワークノードを有する医療ボディエリアネットワークシステムであって、前記短距離無線通信用の動作チャネル若しくは周波数を選択するスペクトル制御サブモジュールを含む、医療ボディエリアネットワークシステムと、
前記医療ボディエリアネットワークシステムとともに配置される無線周波数識別タグとを有し、
前記医療ボディエリアネットワークシステムの前記スペクトル制御サブモジュールが、
前記無線周波数識別タグの記録によって示されるように前記医療ボディエリアネットワークシステムが医療施設内にあることを条件として、（１）デフォルトスペクトルと（２）前記医療ボディエリアネットワークシステムによる利用を許可される制限スペクトルとの組み合わせ、及び、
前記無線周波数識別タグの記録によって示されるように前記医療ボディエリアネットワークシステムが前記医療施設内にないことを条件として、前記デフォルトスペクトルのみ
を有するスペクトルから動作チャネル若しくは周波数を選択する、
医療システム。
【請求項７】
前記スペクトル制御サブモジュールが、前記医療ボディエリアネットワークシステムが前記制限スペクトルの利用を許可されるかどうかを示す電子キーに基づいて前記動作チャネル若しくは周波数を選択し、前記医療システムが、
前記医療ボディエリアネットワークシステムへ前記電子キーを発行する医療ボディエリアネットワークアプリケーションサーバをさらに有し、前記電子キーは前記無線周波数識別タグの記録によって示されるように前記医療ボディエリアネットワークシステムが前記医療施設内にあるかどうかに少なくとも一部基づいて、前記医療ボディエリアネットワークシステムが前記制限スペクトルを利用するか否かの権限を与えるように構成される、
請求項６に記載の医療システム。
【請求項８】
それを介して前記医療ボディエリアネットワークアプリケーションサーバが前記医療ボディエリアネットワークシステムへ前記電子キーを発行する長距離通信若しくはバックホールリンクをさらに有する、請求項７に記載の医療システム。
【請求項９】
前記医療ボディエリアネットワークシステムが、
ハブデバイスと、
短距離無線通信を介して前記ハブデバイスと通信する複数のネットワークノードとを含み、前記ハブデバイスが前記医療ボディエリアネットワークアプリケーションサーバから前記電子キーを受信するために前記長距離通信若しくはバックホールリンクを介しても通信し、前記ハブデバイスが前記スペクトル制御サブモジュールを具体化する、
請求項８に記載の医療システム。
【請求項１０】
前記医療施設の比較的より内側にある１つ以上の第１の無線周波数識別リーダと、
前記医療施設の比較的より外側にある１つ以上の第２の無線周波数識別リーダとをさらに有し、
前記医療ボディエリアネットワークアプリケーションサーバが、前記無線周波数識別タグの最後の記録が前記第１の無線周波数識別リーダの１つによって取得された場合、前記医療ボディエリアネットワークシステムが前記制限スペクトルを利用することを許可するように前記電子キーを構成し、前記無線周波数識別タグの最後の記録が前記第２の無線周波数識別リーダの１つによって取得された場合、前記医療ボディエリアネットワークシステムが前記制限スペクトルを利用することを許可しないように前記電子キーを構成する、
請求項７乃至９のいずれか一項に記載の医療システム。
【請求項１１】
前記医療ボディエリアネットワークシステムが短距離無線通信を介してハブデバイスと通信する複数のネットワークノードを含み、
前記無線周波数識別タグが前記ハブデバイスの上若しくは中に配置される、
請求項６乃至１０のいずれか一項に記載の医療システム。
【請求項１２】
前記医療ボディエリアネットワークシステムの前記スペクトル制御サブモジュールが、
前記無線周波数識別タグの記録によって示されるように前記医療ボディエリアネットワークシステムが医療施設内にあり前記医療施設の禁止区域内にないことを条件として、（１）デフォルトスペクトルと（２）前記医療ボディエリアネットワークシステムによる利用が許可される制限スペクトルとの組み合わせ、及び、
前記無線周波数識別タグの記録によって示されるように前記医療ボディエリアネットワークシステムが前記医療施設内にない又は前記医療施設の禁止区域内にあることを条件として、前記デフォルトスペクトルのみ
を有するスペクトルから動作チャネル若しくは周波数を選択する、
請求項６乃至１１のいずれか一項に記載の医療システム。
【請求項１３】
制限スペクトル内にある選択される動作チャネル若しくは周波数において短距離無線通信を介して互いに通信し合う複数のネットワークノードを有するアクティブな医療ボディエリアネットワークシステムを設けるステップと、
前記アクティブな医療ボディエリアネットワークシステムが医療施設の外へ出ることを検出するステップと、
前記検出に応じて、前記動作チャネル若しくは周波数を前記制限スペクトル内にない異なる動作チャネル若しくは周波数へ変更するステップと
を有する方法。
【請求項１４】
前記検出するステップが前記医療施設の外へ出る前記医療ボディエリアネットワークシステムとともに配置される無線周波数識別タグを検出するステップを有する、請求項１３に記載の方法。
【請求項１５】
前記医療施設の外へ出る前記無線周波数識別タグの検出が、前記医療施設の比較的より内側にある第１の無線周波数識別リーダを用いて前記無線周波数識別タグを検出し、続いて前記医療施設の比較的より外側にある第２の無線周波数識別リーダを用いて前記無線周波数識別タグを検出するステップを有する、請求項１４に記載の方法。
【発明の詳細な説明】
【技術分野】
【０００１】
本願は２０１０年４月１３日出願の米国仮出願Ｎｏ．６１／３２３，４８８の優先権の利益を主張する。２０１０年４月１３日出願の米国仮出願Ｎｏ．６１／３２３，４８８は引用によりその全体が本明細書に組み込まれる。
【０００２】
以下は医療モニタリング技術、無線通信技術、及び関連技術に関する。
【背景技術】
【０００３】
医療ボディエリアネットワーク（ＭＢＡＮ）は、病院患者をそのベッドサイドモニタリングユニットへつなぐ絡まったケーブルを、無線接続で置き換える。これは、医療関係者を躓かせる可能性がある、又は外れて医療データを失う可能性がある、有線接続によってもたらされる不都合及び安全上の問題の無い、低コスト無線患者モニタリング（ＰＭ）を提供する。ＭＢＡＮアプローチにおいて、複数の低コストセンサが患者の上若しくは付近の異なる位置に取り付けられ、これらのセンサは患者の体温、脈拍、血糖値、心電図（ＥＣＧ）データなど、患者の生理学的情報を記録する。センサは少なくとも１つの隣接ハブ若しくはゲートウェイデバイスによって調整されてＭＢＡＮを形成する。ハブ若しくはゲートウェイデバイスは例えばＩＥＥＥ  ８０２．１５．４（Ｚｉｇｂｅｅ（登録商標））短距離無線通信プロトコルに準拠する内蔵短距離無線通信を用いてセンサと通信する。センサによって収集される情報はＭＢＡＮの短距離無線通信を通じてハブ若しくはゲートウェイデバイスに伝送され、その結果ケーブルの必要がなくなる。ハブ若しくはゲートウェイデバイスは集中型の処理、ディスプレイ及びストレージのために有線若しくは無線長距離リンクを介して中央患者モニタリング（ＰＭ）局へ収集された患者データを通信する。長距離ネットワークは、例えば有線Ｅｔｈｅｒｎｅｔ（登録商標）及び／又はＷｉ‐Ｆｉ（登録商標）若しくは何らかのプロプライエタリ無線ネットワークプロトコルなどの無線プロトコルを含み得る。ＰＭ局は例えば電子患者記録データベース、ナースステーション若しくは医療施設内のどこかにある表示装置などを含み得る。
【０００４】
ＭＢＡＮモニタリングは患者の生理学的パラメータを取得する。パラメータのタイプと患者の状態によって、取得データは重要なもの（例えば、フィットネスレジメンを受けている健常患者のモニタリングの場合）からライフクリティカルなもの（例えば、集中治療室の重症患者の場合）に及ぶ。一般に、データの医療コンテンツのためにＭＢＡＮ無線リンクには厳しい信頼性要件がある。
【０００５】
ＭＢＡＮシステムが病院若しくは他の医療施設でますます一般的になるにつれて、スペクトル利用が増加する。これはより多くのスペクトルをＭＢＡＮアプリケーションに割り当てることによって対応できる。しかしながら、割り当てられるスペクトルは重要な医療データの伝送のために適切に"高品質"でなければならない。このようなスペクトルは需要が高い。例えば、ＭＢＡＮ利用と航空モバイルテレメトリ（ＡＭＴ）は両方とも２３６０‐２３９０ＭＨｚスペクトル（以下"ＭＢＡＮスペクトル"という）を利用したがる。米国では、ＭＢＡＮのために２３６０‐２４００ＭＨｚをセカンダリベースで割り当て、ＡＭＴが２３６０‐２３９０ＭＨｚスペクトルのプライマリユーザであることが提案されている。このような政策において、セカンダリＭＢＡＮユーザは２３６０‐２３９０ＭＨｚスペクトル空間においてプライマリＡＭＴユーザを保護し、そのスペクトル空間においてこれらのプライマリユーザからの起こり得る干渉を受け入れることを政府規制によって要求され得る。
【０００６】
プライマリユーザとセカンダリユーザ間の共存を実現するために、いくつかの制限（若しくはスペクトル規制裁定）がセカンダリユーザによる共有スペクトルの利用に設けられる。一例として、１つの考えられる制限は、スペクトルのセカンダリ利用を許可された（屋内）施設内のみの利用に制限すること、及びセカンダリサービスによる屋外利用を禁止することである。別の考えられる制限は、ＭＢＡＮシステムとＡＭＴレシーバの間の分離距離を確保するように定義されるＡＭＴサイト周辺の領域である排除区域を設けることである。ＡＭＴレシーバへの干渉を避けるために、２３６０‐２３９０ＭＨｚスペクトルの一部若しくは全体でのＭＢＡＮオペレーションは、ＭＢＡＮオペレーションが医療施設に限られる場合であっても、こうした排除区域では禁止されることが提案されている。
【０００７】
病院若しくは他の医療施設におけるＭＢＡＮシステムの使用増加を促進するために、ＭＢＡＮサービス専用により広い２３６０‐２４００ＭＨｚバンド（"ＭＢＡＮスペクトル"）を割り当てることが提案されている。米国では、連邦通信委員会（ＦＣＣ）が２００９年６月にＭＢＡＮ規則制定案告示（ＮＰＲＭ）を採択した。ＭＢＡＮスペクトルの広帯域幅、無干渉、及び良好な伝搬特性を考慮すると、ＭＢＡＮスペクトルがＭＢＡＮ利用に割り当てられる場合、医療グレードの接続性を提供するためにＭＢＡＮスペクトルを利用することはＭＢＡＮアプリケーションにとって有利であり得る。
【０００８】
しかしながら、提案されるＭＢＡＮ利用に対するＭＢＡＮスペクトルの割り当てはセカンダリベースであり、これはＭＢＡＮ利用が、ＭＢＡＮスペクトル内の全プライマリユーザを保護することと、これらプライマリユーザからの考えられる干渉を受け入れることを政府規制によって要求され得ることを意味する。ＭＢＡＭスペクトル内の現在のプライマリユーザはアマチュア無線（２３９０‐２４００ＭＨｚ）、航空モバイルテレメトリ（ＡＭＴ）（２３６０‐２３９５ＭＨｚ；現在２３６０‐２３９０ＭＨｚしかＡＭＴによって利用されていないことを留意）、及び電波天文学（２３７０‐２３９０ＭＨｚ）を含む。
【０００９】
プライマリユーザ、特にＡＭＴサイトを保護するために、米国では２３６０‐２３９０ＭＨｚバンドにおけるＭＢＡＮオペレーションを医療施設のみに制限することが提案されている。この提案規制方針の下で、ＭＢＡＮデバイスは医療施設内にあるときに２３６０‐２３９０ＭＨｚで動作することしか許されず、ＭＢＡＮシステムが外へ移動する場合、この提案方針の下では２３６０‐２３９０ＭＨｚバンド外の新たなチャネルにスイッチすることを要求される。さらに、ＭＢＡＮシステムとＡＭＴレシーバの間の分離距離を確保するようにＡＭＴサイト周辺領域である除外区域が定義されることが提案される。ＡＭＴレシーバへの干渉を回避するために、２３６０‐２３９０ＭＨｚスペクトルの一部若しくは全体でのＭＢＡＮオペレーションは、ＭＢＡＮオペレーションが医療施設に限定される場合であっても、こうした除外区域では禁止されることが提案される。
【００１０】
こうした規制方針のコンプライアンスはマニュアルオペレーションに基づくはずであり、厳格でなければならない。しかしながら、少なくとも（１）ＭＢＡＮスペクトル利用が視覚的に知覚できず、（２）一部のＭＢＡＮシステムが移動性であり、（３）マニュアルコンプライアンスが医師、看護士、病院職員など多数の人物に分布するため、厳格なコンプライアンスはマニュアルアプローチによって保証することが難しい。
【００１１】
考慮されるマニュアルアプローチにおいて、医療施設において患者をモニタするためにＭＢＡＮシステムが医療専門家によって処方されるとき、看護士若しくは他の医療職員は手動でハブデバイスがＦＣＣ規制に基づいて２３６０‐２３９０ＭＨｚスペクトルの一部若しくは全体を利用することができるようにする。その後、例えば退院によって患者が医療施設の外へ出ようとする場合、医療職員は手動でハブデバイスが２３６０‐２３９０ＭＨｚスペクトルを利用することができないようにする。手動で有効／無効にするオペレーションはハブデバイスに手動でパスコードを入力することによって、又はハブデバイスを特定デバイスと接続する（例えばハブデバイス上にＵＳＢキーを差し込む）ことによって実施され、ハブデバイス若しくは特定デバイス上で実行するプログラムが自動的にハブデバイスの２３６０‐２３９０ＭＨｚスペクトルアクセスを有効／無効にし得る。
【００１２】
しかしながら、こうしたマニュアル管理方法はかなりのスタッフの介入を利用し、院内のワークフロー効率を著しく低下させる。マニュアル管理はまた柔軟性がなく、モバイルＡＭＴサイトに有効に対応することができないかもしれない（例えばモバイルＡＭＴサイト若しくは通信手段を保護するために一時的除外区域が時々定義され得る）。
【発明の概要】
【発明が解決しようとする課題】
【００１３】
以下は上述の問題などを克服する新たな改良された装置と方法を提供する。
【課題を解決するための手段】
【００１４】
開示された一態様によれば、方法は以下を有する：選択される動作チャネル若しくは周波数において短距離無線通信を介して互いに通信し合う複数のネットワークノードを有する医療ボディエリアネットワーク（ＭＢＡＮ）システムを動作させるステップ；ＭＢＡＮシステムと関連する無線周波数識別（ＲＦＩＤ）タグによって示されるようにＭＢＡＮシステムが医療施設内にあることを条件として、デフォルトスペクトルと追加スペクトルを有する広域スペクトルから動作チャネル若しくは周波数を選択するステップ；及びＭＢＡＮシステムと関連するＲＦＩＤタグによって示されるようにＭＢＡＮシステムが医療施設外にあることを条件として、追加スペクトルではなくデフォルトスペクトルから動作チャネル若しくは周波数を選択するステップ。
【００１５】
開示された別の態様によれば、医療システムは以下を有する：短距離無線通信を介して互いに通信し合う複数のネットワークノードを有する医療ボディエリアネットワーク（ＭＢＡＮ）システム、ＭＢＡＮシステムは短距離無線通信用の動作チャネル若しくは周波数を選択するスペクトル制御サブモジュールを含む；ＭＢＡＮシステムとともに配置される無線周波数識別（ＲＦＩＤ）タグ。ＭＢＡＮシステムのスペクトル制御サブモジュールは、ＲＦＩＤタグの記録によって示されるようにＭＢＡＮシステムが医療施設内にあるという条件で（１）デフォルトスペクトルと（２）ＭＢＡＮシステムによる利用を許可される制限スペクトルとの組み合わせ、及びＲＦＩＤタグの記録によって示されるようにＭＢＡＮシステムが医療施設内にないという条件でデフォルトスペクトルのみを有するスペクトルから、動作チャネル若しくは周波数を選択する。
【００１６】
開示された別の態様によれば、方法は以下を有する：制限スペクトル内にある選択される動作チャネル若しくは周波数において短距離無線通信を介して互いに通信し合う複数のネットワークノードを有するアクティブな医療ボディエリアネットワーク（ＭＢＡＮ）システムを設けるステップ；アクティブなＭＢＡＮシステムが医療施設の外へ出ることを検出するステップ；及び検出に応じて、動作チャネル若しくは周波数を制限スペクトル内にない異なる動作チャネル若しくは周波数へ変更するステップ。
【００１７】
１つの利点は共有スペクトル空間におけるセカンダリユーザとプライマリユーザの安全な共存にある。
【００１８】
別の利点はより効率的なスペクトル利用にある。
【００１９】
別の利点はプライマリユーザのアクセス権へのセカンダリユーザ各自の厳格なコンプライアンスを維持しながらのプライマリユーザとセカンダリユーザによる短距離通信スペクトルの原理的利用にある。
【００２０】
さらなる利点は以下の詳細な記載を読んで理解することで当業者に明らかとなる。
【図面の簡単な説明】
【００２１】
【図１】本明細書に開示の中央周波数アジリティサブシステムを含む医療環境の背景における医療ボディエリアネットワーク（ＭＢＡＮ）システムを図示する。
【図２】ＭＢＡＮとともに配置されるＲＦＩＤタグの記録に基づいてＭＢＡＮの医療施設の出入りを検出し明確にするように構成される無線周波数識別子（ＲＦＩＤ）リーダと医療施設を図示する。
【発明を実施するための形態】
【００２２】
図１を参照すると、医療ボディエリアネットワーク（ＭＢＡＮ）１０は複数のネットワークノード１２，１４を含む。ネットワークノード１２，１４の少なくとも１つはハブデバイス１４として機能する。ネットワークノード１２は短距離無線通信プロトコルを介してハブデバイス１４と通信する。ＭＢＡＮ１０は関連文献において他の同義語、例えばボディエリアネットワーク（ＢＡＮ）、ボディセンサネットワーク（ＢＳＮ）、パーソナルエリアネットワーク（ＰＡＮ）、モバイルアドホックネットワーク（ＭＡＮＥＴ）などと呼ばれることもあり、医療ボディエリアネットワーク（ＭＢＡＮ）１０という語はこれら様々な別名を包含するとして理解される。
【００２３】
例示のＭＢＡＮ１０はハブデバイス１４を含む４つのネットワークノード例１２，１４を含むが、ネットワークノードの数は１，２，３，４，５，６若しくはそれ以上であることができ、さらにネットワークノードの数は一部の実施形態において、医療モニタリング機能を追加若しくは除去するためにセンサノードがネットワークに追加若しくは除去されるように、アドホック式に増加若しくは減少し得る。ネットワークノード１２は典型的には心拍数、呼吸速度、心電図（ＥＣＧ）データなどといった生理学的パラメータを取得するセンサノードであるが、ネットワークノードの１つ以上が皮膚パッチ若しくは静脈内接続を介した治療薬送達制御、心臓ペースメーカ機能の実行などといった他の機能を実行することもまた考慮される。単一のネットワークノードは１つ以上の機能を実行し得る。例示のネットワークノード１２は関連患者Ｐの外部に配置されるが、より一般的にネットワークノードは患者の上、若しくは患者の中（例えばネットワークノードは埋め込みデバイスの形をとり得る）、若しくは短距離通信プロトコルの通信距離内の患者の近く（例えば、ネットワークノードは患者の近くに維持されるポール上に取り付けられる静脈内注射ポンプ（不図示）上に取り付けられる装置の形をとり得、この場合モニタされる患者データは静脈内輸液流速などの情報を含み得る）に配置され得る。患者の安心を促進するために、及び信頼性を高めるよう低い複雑性にするために、ネットワークノードは実現可能な限り小さく作られることが望ましいことがある。従って、こうしたネットワークノード１２は典型的には低電力デバイスであり（バッテリ若しくは他の電源を小さいままにするため）、限られたオンボードデータストレージ若しくはデータバッファリングを持ち得る。結果として、ネットワークノード１２はデータバッファをオーバーフローすることなくハブデバイス１４に取得した患者データを迅速に伝達するためにハブデバイス１４と連続的に若しくはほとんど連続的に短距離無線通信するべきである。
【００２４】
ハブデバイス１４（関連文献において"ゲートウェイデバイス"若しくは"ハブノード"などの他の同義語で呼ばれることもある）はネットワークノード１２のセンサによって取得される患者データを（Ｚｉｇｂｅｅ（登録商標）、Ｂｌｕｅｔｏｏｔｈ（登録商標）、若しくは他の短距離無線通信プロトコルを介して）収集し、収集データを長距離通信プロトコルを介してＭＢＡＮ１０から伝送することによって、ＭＢＡＮ１０の動作を調整する。短距離無線通信プロトコルは好適には数十メートル、数メートル、若しくはそれ以下の比較的短い動作距離を持ち、一部の実施形態ではＩＥＥＥ  ８０２．１５．４（Ｚｉｇｂｅｅ（登録商標））短距離無線通信プロトコル若しくはその変形、又はＢｌｕｅｔｏｏｔｈ（登録商標）短距離無線通信プロトコル若しくはその変形を適切に利用する。Ｂｌｕｅｔｏｏｔｈ（登録商標）及びＺｉｇｂｅｅ（登録商標）は両方とも約２．４‐２．５ＧＨｚの周波数スペクトルで機能する。Ｂｌｕｅｔｏｏｔｈ（登録商標）及びＺｉｇｂｅｅ（登録商標）は短距離無線通信にとって適切な実施形態であるが、プロプライエタリ通信プロトコルを含む他の短距離通信プロトコルもまた考慮される。さらに、短距離無線通信は２．４‐２．５ＧＨｚの範囲に加えて他の周波数において、例えば数百メガヘルツ、ギガヘルツ、数十ギガヘルツの範囲、若しくは他の範囲で機能することができる。短距離通信プロトコルはハブデバイス１４がＭＢＡＮシステム１０の全ネットワークノード１２と確実に通信するために十分な距離を持つべきである。図１において、この短距離無線通信距離はＭＢＡＮシステム１０を描くために使用される点線楕円で図示される。短距離無線通信は典型的には、ネットワークノード１２がハブデバイス１４に情報（例えば患者データ、ネットワークノード状態など）を通信することができ、ハブデバイス１４がネットワークノード１２に情報（例えばコマンド、治療ネットワークノードの場合制御データなど）を通信することができるよう、双方向である。例示のハブデバイス１４は手首に取り付けられるデバイスであるが、ハブデバイスは例えばネックレスデバイス、接着デバイス、携帯電話など、他の方法で患者に取り付けられることができる。ハブデバイスが、患者の近くに維持されるポール上に取り付けられる静脈内注射ポンプ（不図示）と一体化される、又はセットトップボックスなど、患者に近いどこかに取り付けられることもまた考慮される。
【００２５】
ハブデバイス１４はＭＢＡＮシステム１０からデータを通信する長距離通信機能を提供する送受信機（不図示）も含む。図１の図示の実施例において、ハブデバイス１４は病院ネットワーク２２のアクセスポイント（ＡＰ）２０と無線通信する。例示のＡＰ２０はハブデバイス１４と無線で通信する無線アクセスポイントである。例示の実施形態において病院ネットワーク２２は例示のアクセスポイントＡＰ２３及びＡＰ２４など、病院若しくは他の医療施設全体に分布する追加アクセスポイントも含む。さらなる例示を与えるために、ナースステーション２６が図示され、これはＡＰ２４と無線通信し、例えばＭＢＡＮシステム１０によって取得され、ＡＰ２０，病院ネットワーク２２、及びＡＰ２４を有する経路を介してナースステーション２６へ通信される患者Ｐに対する医療データを表示するために使用され得る表示モニタ２８を含む。別の実施例として、病院ネットワーク２２は、ＭＢＡＮシステム１０によって取得され、ＡＰ２０と病院ネットワーク２２を有する経路を介して電子患者記録サブシステム３０に通信される患者Ｐについての医療データがその中に記録される、電子患者記録サブシステム３０とのアクセスを提供し得る。ハブデバイス１４とＡＰ２０の間の例示の長距離通信は無線であり、図１に破線接続線で図示される（同様に、ＡＰ２４とナースステーション２６の間の無線通信は破線接続線で示される）。一部の適切な実施形態において、長距離無線通信は適切にはＩＥＥＥ  ８０２．１１無線通信プロトコル若しくはその変形に準拠するＷｉ‐Ｆｉ（登録商標）通信リンクである。しかしながら、別のタイプの無線医療遠隔測定システム（ＷＭＴＳ）など、他の無線通信プロトコルが長距離通信のために使用されることができる。さらに、長距離通信は有線Ｅｔｈｅｒｎｅｔ（登録商標）リンクなどの有線通信であることができる（この場合ハブデバイスは有線長距離通信リンクを提供する少なくとも１つのケーブルを含む）。
【００２６】
長距離通信はネットワークノード１２とハブデバイス１４の間の短距離通信と比べて長い距離である。例えば、短距離通信距離は約数十センチメートル、数メートル、若しくは最大でもおそらく数十メートルであり得るが、長距離通信は典型的には、複数のアクセスポイント２０，２３，２４若しくは同等に、有線長距離通信の場合は病院全体に分布する複数のＥｔｈｅｒｎｅｔ（登録商標）ジャックの使用を通して、病院若しくは他の医療施設のかなりの部分を包含する。本願の他の部分で、長距離通信２０，２２，２３，２４はバックホールリンクと呼ばれる。
【００２７】
長距離通信は、無線である場合、短距離通信よりも多くの電力を要する、従って、ハブデバイス１４は長距離通信送受信機を操作するために十分なバッテリ若しくは他の電源を含む。代替的に、ハブデバイス１４は有線電源接続を含み得る。ハブデバイス１４はまた典型的には、ＡＰ２０との通信がある時間間隔遮断される場合に患者データのかなりの量をバッファすることができるように十分なオンボードストレージを含む。例示の場合の無線長距離通信において、患者ＰがＡＰ２０の範囲から別のＡＰ（例えばＡＰ２３若しくはＡＰ２４）に移動する場合、病院ネットワーク２２（その無線アクセスポイント２０，２３，２４を含む）によって利用されるＩＥＥＥ  ８０２．１１若しくは他の無線通信プロトコルはＡＰ２０から新たに隣接ＡＰへシフトする無線リンクを提供する。この点について、患者ＰはベッドＢに横たわっているとして図示されるが、より一般的には患者Ｐは歩行可能であり様々なアクセスポイント２０，２３，２４の範囲を様々に出入りすることが考慮される。従って患者Ｐが動くと、ネットワークノード１２とハブデバイス１４を含むＭＢＡＮ１０は患者Ｐと一緒に動く。
【００２８】
ＭＢＡＮ１０において、ネットワークノード１２は短距離無線通信を介してハブデバイス１４と通信する。しかしながら、ネットワークノード１２の様々なペア若しくはグループが短距離無線通信を介して直接（つまり仲介役としてハブデバイス１４を使用せずに）互いに通信し合うことも考慮される。これは例えば２つ以上のネットワークノードの活動を時間的に調整するために有用であり得る。さらに、ハブデバイス１４は追加機能を提供し得る、例えばハブデバイス１４は生理学的パラメータを測定するための１つ以上のセンサを含むネットワークノードでもあり得る。なおさらに、単一のハブデバイス１４が図示されるが、調整機能（例えばネットワークノード１２からのデータ収集及び長距離無線通信を介した収集データのオフローディング）が調整タスクを協調的に実行する２つ以上のネットワークノードによって具体化されることが考慮される。
【００２９】
例示の図１において、単一のＭＢＡＮシステム１０のみが詳細に図示される。しかしながら、より一般的には病院若しくは他の医療施設は各々が独自のＭＢＡＮシステムを持つ複数の患者を含むことが理解される。これは同様に長距離無線通信を介してＡＰ２０と通信する２つの追加ＭＢＡＮシステム３５，３６によって図１に図示される。より一般的には、ＭＢＡＮシステムの数は一部の実施例として、２，３，４，５，１０，２０若しくはそれ以上であり得る。実際、単一の患者が２つ以上の異なる独立して動作するＭＢＡＮシステム（不図示）を持つことさえ考慮される。
【００３０】
引き続き図１を参照すると、ＭＢＡＮアプリケーションサーバ４０が様々なアプリケーションタスクを実行するために長距離通信すなわちバックホールリンク２０，２２，２３，２４を介してＭＢＡＮシステム１０，３５，３６と通信する。一実施例として、ＭＢＡＮアプリケーションサーバ４０はストレージのためにハブデバイス１４から電子患者記録サブシステム３０へのデータ転送を調整すること、ディスプレイのためにハブデバイス１４からディスプレイモニタ２８へのデータ転送を調整すること、などといったタスクを実行し得る。この目的で、ＭＢＡＮアプリケーションサーバ４０は各アクティブなＭＢＡＮシステム１０，３５，３６についての関連情報を含むＭＢＡＮデータベース４２を保持する。
【００３１】
スペクトル利用制御を提供するために、ＭＢＡＮアプリケーションサーバ４０はさらに電子キー（Ｅキー）生成エンジン４４を含むか、又はそれにアクセスする。Ｅキー生成デバイスはＭＢＡＮ利用に利用可能なスペクトルを指定する電子キー（Ｅキー）を生成する。可用スペクトルには様々な制限が存在し得る、例えば：ＭＢＡＮ通信がセカンダリ利用である場合プライマリユーザによって課せられる制限；地域、国、若しくは他の地理的場所に基づくスペクトル制限；など。可用スペクトルに対する制限は時間の関数として変化し、こうした変化は周期的若しくは非周期的であり得る。
【００３２】
Ｅキー生成エンジン４４はコンピュータ、ネットワークサーバ、若しくは他のデジタル処理デバイスによって適切に具体化される。ＭＢＡＮアプリケーションサーバ４０もまたコンピュータ、ネットワークサーバ、若しくは他のデジタル処理デバイスによって適切に具体化され、これはＥキー生成エンジン４４を具体化するデジタル処理デバイスと同じか若しくは異なり得る。一部の実施形態においてＥキー生成エンジン４４はＭＢＡＮアプリケーションサーバ４０上で実行するアプリケーションプログラムとして具体化される。
【００３３】
一実施例として、例示の実施形態において２３６０‐２４００ＭＨｚスペクトルはこの実施例では"ＭＢＡＮスペクトル"と呼ばれる。しかしながら、２３６０‐２３９０ＭＨｚからの部分はセカンダリベースでＭＢＡＮ利用に割り当てられ、航空モバイルテレメトリ（ＡＭＴ）ユーザが２３６０‐２３９０ＭＨｚスペクトルのプライマリユーザである。実施例において、２３６０‐２３９０ＭＨｚスペクトル空間におけるＭＢＡＮ利用に対する制限は、以下を含む規制によって実施される：（１）このスペクトル空間におけるＭＢＡＮ利用を指定医療施設の屋内で動作するＭＢＡＮシステムに制限すること、（２）ＡＭＴサイト周辺に固定"除外区域"を定義すること‐ＡＭＴユーザによって現在利用中の２３６０‐２３９０ＭＨｚバンドの部分のＭＢＡＮ利用はいかなるこうした固定除外区域においてもいかなるときでも禁止される；（３）移動性の若しくは間欠的なＡＭＴ利用に対応する一時的除外区域を定義すること‐ＡＭＴユーザによって現在利用中の２３６０‐２３９０ＭＨｚバンドの部分のＭＢＡＮ利用はこうした一時的除外区域においてこれが適所にある間は禁止される。（３）の結果は、指定医療施設内の２３６０‐２３９０ＭＨｚスペクトル空間の一部若しくは全部の利用が、医療施設を含む一時的除外区域が適所にある時間中は一時的に禁じられ得るということである。
【００３４】
前述の実施例は例示に過ぎず、一般に制限は関連政府規制官庁によって公表される管理規則、病院政策などによって定められる様々な時間及び様々な場所において様々なスペクトル空間に対して課せられ得る。
【００３５】
スペクトル制限を実施するために、Ｅキー生成エンジン４４はスペクトル制限についての情報を受信する。実施例において、スペクトル制限はＡＭＴユーザによって課せられ、従ってスペクトル制限（若しくはそれからスペクトル制限が決定され得る情報）がプライマリユーザ（例えばＡＭＴ）データベース４６の形でＥキー生成エンジン４４へ提供される。各ＡＭＴサイト毎に、ＡＭＴデータベース４６に適切に含まれる一部の情報は、サイト位置；ＡＭＴサイトについてのコンタクト情報；ＡＭＴサイトによる周波数範囲（つまり利用中のスペクトル）；ＡＭＴ配置タイプ（つまり固定若しくはモバイルサイト）、利用期間（モバイルサイトに関連）；及びサイトレシーバ特性（例えばアンテナゲイン、高さなど）を含む。一部の実施形態において、ＡＭＴデータベース４６のコンテンツはＥキー生成エンジン４４のみによってアクセス可能であるが、病院ネットワーク２２若しくはＭＢＡＮアプリケーションサーバ４０へアクセスする他の人若しくはエンティティによってはアクセス不可能である。こうしたアクセス制限は機密ＡＭＴ情報に対するアクセス制御とセキュリティを提供する。
【００３６】
加えて、Ｅキー生成エンジン４４は医療施設及び／又はＭＢＡＮシステムについての情報を取得する。適切な実施形態において、情報はＭＢＡＮデータベース４２に保存され、Ｅキー生成エンジン４４によって直接的に若しくはＭＢＡＮアプリケーションサーバ４０を介してアクセス可能である。ＭＢＡＮデータベース４２に適切に含まれる一部の医療施設関連情報は、物理的住所、位置、コンタクト情報などの病院情報；建物高さ（ＭＢＡＮオペレーションによる無線周波数干渉の範囲を推定するために関連し得る）；環境（例えば都市若しくは地方）；現在アクティブなＭＢＡＮシステムの数；同時オペレーションを許可されるＭＢＡＮシステムの数、などを含む。ＭＢＡＮデータベース４２は、装置タイプ；製造業者；配置タイプ（例えば固定若しくはモバイル）；例えば実効放射電力（ＥＲＰ）メトリックによって測定される伝送（ＴＸ）電力；及び各ＭＢＡＮシステムに発行されるＥキー（もしあれば）など、各ＭＢＡＮシステムについての情報も適切に保存する。
【００３７】
ＡＭＴデータベース４６及びＭＢＡＮデータベース４２のコンテンツに基づいて、Ｅキー生成エンジン４４は除外区域（固定及び移動性の両方）を決定し、従って病院若しくは他の医療施設が除外区域内にあるかどうかを決定する（又は、移動性若しくは一時的除外区域の場合は病院若しくは他の医療施設が除外区域内にある若しくはあることになるときを決定する）。除外区域の地理的範囲は電磁シミュレーション（若しくはその近似、例えばＡＭＴサイトを中心とする特定半径を持つ円形除外区域を仮定する）、フィールド測定、若しくはその組み合わせに基づいて計算されることができる。代替的に、除外区域の地理的範囲はＡＭＴデータベース４６に保存される予め計算される情報であり得る。この情報に基づいて、Ｅキー生成エンジン４４は病院若しくは他の医療施設においてＭＢＡＮシステムのために利用可能なスペクトル空間を示す電子キー（Ｅキー）を生成する。
【００３８】
代替的なアプローチにおいて、ＡＭＴユーザは共有スペクトルのどの部分（もしあれば）が病院若しくは他の医療施設のＭＢＡＮシステムによって利用可能であるかを決定することができ、そしてＡＭＴデータベース４６はＥキー生成エンジン４４による検索のためにこのスペクトル情報を保存することができる。
【００３９】
Ｅキー生成エンジン４４によって生成されるＥキーは長距離通信すなわちバックホールリンク２０，２２，２３，２４を介してＭＢＡＮアプリケーションサーバ４０によって様々なＭＢＡＮシステム１０，３５，３６へ適切に配布され、Ｅキー５０のコピーが各ＭＢＡＮシステム１０のハブデバイス１４に保存される。随意に、ＭＢＡＮアプリケーションサーバ４０は各ＭＢＡＮシステム１０，３５，３６に割り当てられるＥキーについての情報を保存する。ＭＢＡＮがバックホールと接続しない場合、Ｅキーは手動で、若しくはポータブルＵＳＢドライブなどを用いてロードされることができる。
【００４０】
一部の実施形態において、異なるＥキーは同じ医療施設内の異なるＭＢＡＮシステムに割り当てられることができる。例えば、大きなＭＢＡＮシステム若しくは強い送信機を持つネットワークノードを含むＭＢＡＮシステムは、大きな及び／又は強い伝送のＭＢＡＮシステムが隣接ＡＭＴサイトとより干渉しやすい可能性があるため、より制限的なＥキーを割り当てられ得る（又はＥキーが全く割り当てられない）。異なるＥキーはまた、異なるＭＢＡＮシステムへそれらの医療施設内の位置に基づいて割り当てられ得る。例えば、ＡＭＴサイトにとって問題のある干渉をより生じやすい高所にあるＭＢＡＮシステムにはより制限的なＥキーが割り当てられ得る（又はＥキーが全く割り当てられない）。
【００４１】
ＭＢＡＮシステムにおいて、ハブデバイス１４のスペクトル制御サブモジュール５２（ハブデバイス１４のデジタルプロセッサ上で実行するソフトウェア若しくはファームウェアによって適切に具体化される）は、ＭＢＡＮシステム１０の短距離通信用のチャネル若しくは周波数を割り当てる。１つの適切なアプローチにおいて、ハブデバイス１４のスペクトル制御サブモジュール５２はデフォルトスペクトル空間（例えば実施例では２３９０‐２４００ＭＨｚ）におけるチャネル若しくは周波数を割り当て、共有若しくはその他の制限スペクトル空間（例えば実施例では２３６０‐２３９０ＭＨｚ）におけるチャネル若しくは周波数を、Ｅキー５０がこの制限スペクトル空間の利用を許可する場合にのみ割り当てる。このように、デフォルトオペレーションはいかなる制限スペクトルにも影響を与えず、追加の制限スペクトルはＥキー５０が追加の制限スペクトルの利用を肯定的に許可する場合にのみ利用される（又は利用を検討される）。
【００４２】
生成されるＥキーは様々な形をとることができる。１つの適切なアプローチにおいて、Ｅキーは単一２進値であり、１つの２進値（例えば"１"）はスペクトル空間２３６０‐２３９０ＭＨｚがＭＢＡＮ利用に利用可能であることを示し、他の２進値（例えば"０"）はスペクトル空間２３６０‐２３９０ＭＨｚがＭＢＡＮ利用に利用不可能であることを示す。代替的に、Ｅキーは任意の適切なエンコーディングを用いてスペクトル空間を指定することができる。これは単一２進値がＭＢＡＮ可用スペクトルを伝達するために不十分であるような、スペクトルの異なる部分が様々にＭＢＡＮ利用に利用可能若しくは利用不可能であり得る実施形態において適切であり得る。
【００４３】
随意に、Ｅキーは有効期限も含み、これは絶対時間（すなわちＥキーが期限切れになる特定の日）若しくは相対時間（例えばＥキーはＭＢＡＮにおける受信時間から２４時間、若しくは１０分間など有効である）のいずれかで指定され得る。有効期限を指定することは（例えば、ＭＢＡＮシステムを身に着ける患者が病院から退院した後）ＭＢＡＮシステムがＥキーによって許可される共有若しくは他の制限スペクトルを無期限に利用しないことを有利に保証する。
【００４４】
随意に、Ｅキーは医療施設識別も含む。かかる実施形態において、Ｅキーは識別される医療施設内の共有若しくは他の制限スペクトルの利用を許可する。かかる実施形態において、異なる可用スペクトルが異なるＥキーによって異なる施設に対して指定され得るように、単一ＭＢＡＮシステムが２つ以上の対応する医療施設に対する２つ以上のＥキーを持つことが考慮される。これは例えば患者が異なる治療のために異なる医療施設間で輸送される場合に役立ち得る。適切な動作アプローチにおいて、ＭＢＡＮシステムは接続することができるバックホールリンクに基づいて現在どの施設内にいるか（及び、従ってどのＥキーを使用すべきか）を決定する。
【００４５】
Ｅキー５０が有効期限を持つ実施形態において、その有効期限は様々な機能を提供するために選択されることができる。例えば、長距離通信すなわちバックホールリンク２０，２２，２３，２４がロバストで信頼性があり高速である一部の実施形態において、有効期限は短く、例えば約数分、若しくは数秒若しくはそれ以下に設定され得る。かかる実施形態において、有効期限は、ＭＢＡＮシステムが（例えば患者が医療施設を離れるため）長距離通信すなわちバックホールリンク２０，２２，２３，２４の範囲外へ出るとすぐに移動性のＭＢＡＮシステムが迅速に（すなわち数分若しくは数秒以内若しくはそれ以下）制限スペクトルを退去することを有利に保証する。
【００４６】
他の実施形態において有効期限は長く、これは長距離通信すなわちバックホールリンク２０，２２，２３，２４に対する伝送負荷を減らす。かかる実施形態において、患者が医療施設を離れるときにスペクトル利用を制限するために他の機構が採用され得る。例えば、ＭＢＡＮシステムは長距離通信すなわちバックホールリンク２０，２２，２３，２４からの信号が無くなるか若しくは弱くなる場合（従っておそらくＭＢＡＮシステムが医療施設から離れていることを示す）、ＭＢＡＮシステムは非制限周波数若しくはチャネル（例えば実施例では２３９０‐２４００ＭＨｚ範囲内）へスイッチすることができる。患者の退院若しくは現場から離れた（ｏｆｆ‐ｓｉｔｅ）医療処置のための病院外への患者輸送など、制御される移動の場合、ＥキーはＭＢＡＮアプリケーションサーバ４０によって自動的に無効にされ得るか（ハブデバイスが有効なバックホールリンクを持つ場合）、又はＥキーは手動で無効にされ得る（ハブデバイスが有効なバックホールリンクを持たない場合）。
【００４７】
起こり得る１つの状況は、ある患者がアクティブな（及び移動性の）ＭＢＡＮとともに病院の外へ出るかもしれないということである。これは規制方針が、ＭＢＡＮデバイスが制限バンド（例えば実施例では２３６０‐２３９０ＭＨｚ）内で動作することをそれらが医療施設内にあるときのみ許可する場合、問題である。こうした規制方針の下で、ＭＢＡＮシステムが外へ移動する場合、制限バンド外の新たなチャネル（例えば実施例では２３９０‐２４００ＭＨｚ）へスイッチすることが要求される。Ｅキーの有効期限がたった数分、若しくは数秒、若しくはそれ以下である場合、これは無制御の患者運動に対する十分な防御となり得る。Ｅキーの期限切れが速いかかる実施形態において、患者が病院ネットワーク２２のサービスエリアの外へ出る場合、ハブデバイスはＭＢＡＮアプリケーションサーバ４０からＥキーリフレッシュコマンドを得ることができないので、Ｅキーが期限切れになると（すなわち数分、若しくは数秒、若しくはそれ以下のうちに）２３６０‐２３９０ＭＨｚスペクトルの利用は自動的に無効になる。
【００４８】
別のアプローチとして、ハブデバイスが患者とともに外へ出ないように、患者がオンボディセンサデバイスのみを持つ場合、ＭＢＡＮセンサデバイスはハブデバイスを聞くことができず、沈黙し続けることになる。
【００４９】
さらに別のアプローチとして、患者の上、ハブデバイス１４の上若しくは中、又は他の方法で（移動性）ＭＢＡＮ付近に配置される、無線周波数識別（ＲＦＩＤ）タグ６０（図１に拡大して図示されるが、適切には一例としてハブデバイス１４の上若しくは中に取り付けられる）が、患者Ｐが医療施設を出入りするときを検出するために医療施設のドアにあるＲＦＩＤリーダと併用されることができる。
【００５０】
制限チャネル若しくは周波数において現在動作しているネットワークノード１２（ハブデバイス１４以外）がハブノード１４との通信を失う場合、ネットワークノードはプライマリユーザに対する干渉を生じないことを保証するように適切に通信を停止する。通信はハブデバイス１４によって再構築されることができ、又は代替的にネットワークノード１２が非制限周波数若しくはチャネル（例えば実施例では２３９０‐２４００ＭＨｚの範囲内）を用いてハブデバイス１４との通信を再構築しようとすることができる。
【００５１】
引き続き図１を参照し、さらに図２を参照して、例示のＭＢＡＮ１０に取り付けられる若しくは備わるＲＦＩＤタグ６０を用いるためのアプローチが記載される。この場合、ＭＢＡＮ１０は例えば患者Ｐが回復しつつあり医療施設６２内を動き回ることが許されるため、移動性であると仮定される。特に、ＭＢＡＮ１０は医療施設６２の中から外へ、又はその反対に、ドア若しくは入口／出口６４を通って動くことができる。ＲＦＩＤタグ６０はハブデバイス６０に、若しくは関連する患者Ｐに取り付けられるか、又はその他の方法でＭＢＡＮ１０とともに動くように配置される。制限スペクトル（先と同様に実施例では２３６０‐２３９０ＭＨｚ）の要件を強制するためにＲＦＩＤタグ６０を利用するために、ＭＢＡＮアプリケーションサーバ４０によって保持されるＭＢＡＮテーブル若しくはデータベース４２はネットワークアドレスと、医療施設に現在登録されている各処方ＭＢＡＮネットワークのＲＦＩＤタグ識別子（例えば例示のＭＢＡＮ１０に対するＲＦＩＤタグ６０のタグ識別子）も保存する。従って、ＭＢＡＮテーブル若しくはデータベース４２は次の３つのフィールドを含む：（１）ハブデバイスＲＦＩＤタグ識別子；（２）ハブデバイス医療施設情報技術（ＩＴ）ネットワークアドレス；及び（３）施設内状態（施設内、施設外、禁止区域）。随意に、次の追加フィールドが保存される：バックホール接続状態（アクティブ若しくは故障）。（医療施設ＩＴネットワークは本明細書では長距離通信若しくはバックホールリンクとも呼ばれ、図１の実施例では病院ネットワーク２２及びアクセスポイント２０，２３，２４を含むことに留意。）
【００５２】
医療施設内で医療専門家によってＭＢＡＮ１０が処方され起動されると、ハブデバイス１４は最初に医療施設ＩＴネットワークに接続するバックホールリンクを構築しようとする。そのバックホールリンクが構築されると、ハブデバイス１４は固有医療ネットワークＩＴネットワークアドレスを取得する。そして、ハブデバイス１４はそのＲＦＩＤタグ６０に対するタグ識別子と医療施設ＩＴネットワークアドレスをＭＢＡＮアプリケーションサーバ４０へ報告する。するとＭＢＡＮアプリケーションサーバ４０はＭＢＡＮ１０に対する新たなレコードを追加することによってＭＢＡＮテーブル若しくはデータベース４２を更新し、そのバックホール接続状態を"アクティブ"に、その施設内状態を"施設内"に設定する。
【００５３】
その後、ＭＢＡＮアプリケーションサーバ４０はハブデバイス内のスペクトル可用性パラメータを更新するコマンド（ＭＢＡＮスペクトル可用性更新コマンド）をハブデバイス１４へ送信する。このコマンドは制限される２３６０‐２３９０ＭＨｚスペクトルのいずれかの部分がＭＢＡＮオペレーションに利用可能であるかどうか、及びもしあれば可用スペクトルがどこにあるかを含む情報を含む。適切な実施形態において、これらの動作は既に記載したＥキーアプローチを用いて実行され、Ｅキー５０は制限される２３６０‐２３９０ＭＨｚスペクトルの可用性に関する情報を提供する。ハブデバイス１４はそれに従ってそのスペクトル可用性パラメータを更新し、ＭＢＡＮを起動するために可用スペクトルから１つのＭＢＡＮチャネルを選択する。センサデバイスがＭＢＡＮに加わり、選択されるＭＢＡＮチャネルでオペレーションを開始する。
【００５４】
ＭＢＡＮアプリケーションサーバ４０は"アクティブ"なバックホール接続状態を持つＭＢＡＮテーブル若しくはデータベース４２内のＭＢＡＮ１０を含む全ＭＢＡＮへ周期的にＭＢＡＮスペクトル可用性更新コマンドを送信する。ＭＢＡＮ１０のハブデバイス１４はＭＢＡＮアプリケーションサーバ４０からＭＢＡＮスペクトル可用性更新コマンドを受信すると、そのスペクトル可用性パラメータを更新し、その現在使用されているＭＢＡＮチャネルが可用スペクトル内にあるかどうかをチェックする。そうであれば、さらなるオペレーションは必要ない。そうでなければ、ハブデバイス１４は現在利用可能なスペクトル内の新たなＭＢＡＮチャネルを選択し、選択される新たなチャネルへＭＢＡＮ１０を動かすＭＢＡＮチャネルスイッチオペレーションを開始する。先と同様に、適切な実施形態においてこれらのオペレーションは既に記載の臨時Ｅキー更新オペレーションとして実行される。
【００５５】
ＭＢＡＮ１０のバックホールリンクが故障している場合、これは患者が医療施設のサービスエリアの外へ出る（例えば移動できる患者が医療施設６２から遠く離れて歩き回る）ときに通常起こるが、ハブデバイス１４はＭＢＡＮアプリケーションサーバ４０からＭＢＡＮスペクトル可用性更新コマンドを得ることができない。ハブデバイス１４が所定期間（Ｅキー５０の有効期限など）ＭＢＡＮアプリケーションサーバからＭＢＡＮスペクトル可用性更新コマンドを受信しなかった場合、これはそのスペクトル可用性パラメータをそのデフォルト値で（例えば実施例では２３９０‐２４００ＭＨｚ）更新し、制限スペクトル（例えば２３６０‐２３９０ＭＨｚ）が利用不可能であることを示す。そしてハブデバイス１４は現在使用されているチャネルが２３６０‐２３９０ＭＨｚスペクトル内にあるかどうかをチェックし、そうであればチャネルスイッチオペレーションによってそのスペクトルの外へ出る。ＭＢＡＮ１０のバックホールリンクが故障後に復旧すると、これは患者Ｐが医療施設６２のサービスエリアに戻るときに通常起こるが、ハブデバイス１４は再びＭＢＡＮアプリケーションサーバ４０からＭＢＡＮスペクトル可用性更新コマンドを得ることができる。ＭＢＡＮハブデバイス１４がこのコマンドを受信すると、これはそれに従ってそのローカルスペクトル可用性パラメータを更新し、必要に応じてチャネルスイッチオペレーションを開始する。先と同様に、適切な実施形態においてこれは既に記載した新たなＥキーを受信しないＥキーの期限切れへの応答に対応する。
【００５６】
前述の通り、このＥキー期限切れへの応答はＲＦＩＤタグ６０を含むアクションなしでもＭＢＡＮ１０が医療施設６２の外へ出るときに制限される２３６０‐２３９０ＭＨｚスペクトル内で動作することを禁止することができる。しかしながら、有効期限が長い、例えば約数分、数時間若しくはそれ以上である場合、これはＥキー期限切れが制限スペクトルオペレーションを終了する前に許容できないほど長い期間ＭＢＡＮ１０が医療施設６２の外にある状態での制限スペクトル内のオペレーションをもたらし得る。さらに、医療施設（例えば病院）ネットワーク２２がＷｉ‐Ｆｉ（登録商標）などの無線ネットワークである場合、ネットワーク２２のサービスエリアはバルコニー及びドアの真向かいの領域など施設６２に近い一部の屋外区域も含む可能性があり、ＭＢＡＮハブデバイスは依然としてスペクトル可用性更新コマンドを受信し得る。従って、Ｅキー期限切れのみへの依存は医療施設６２の外にあるときに制限スペクトルでのＭＢＡＮのオペレーションを禁じる規制のコンプライアンスを保証することができない。
【００５７】
ＭＢＡＮ１０が医療施設６２の外へ出るときにより迅速でより正確なオペレーションの終了をもたらすために、ＲＦＩＤタグ６０が使用される。各医療施設の入口（例示のドア若しくは入口／出口６４など）において、ＲＦＩＤタグを検出するために２つのＲＦＩＤリーダ７０，７２が設置される。ＲＦＩＤリーダ７０，７２はドア６４に近く、第１のＲＦＩＤリーダ７０は建物のちょうど中にあり（本明細書では屋内ＲＦＩＤリーダ７０とも呼ばれる）、第２のＲＦＩＤリーダ７２は建物のちょうど外にある（本明細書では屋外ＲＦＩＤリーダ７２とも呼ばれる）。より一般的に、第１のＲＦＩＤリーダ７０は医療施設６２の比較的より内側にあり第２のＲＦＩＤリーダ７２は医療施設６２の比較的より外側にある。
【００５８】
両ＲＦＩＤリーダ７０，７２は医療施設ＩＴネットワークに接続しＭＢＡＮアプリケーションサーバ４０と通信することができる。オンボディＭＢＡＮ１０を持つ患者Ｐがドア６４を通って医療施設６２を出入りするとき、両ＲＦＩＤリーダ７０，７２はハブデバイス１４に取り付けられる（若しくは他の方法でＭＢＡＮ１０とともに動く）ＲＦＩＤタグ６０を検出しＲＦＩＤタグ６０の記録を取る（例えばＲＦＩＤタグ６０の識別子を読み取る）。ＭＢＡＮ１０が医療施設６２に入ったか若しくは出たかどうかを決定するためにＲＦＩＤリーダ７０，７２による検出の順序が使用されることができる。最初にＭＢＡＮ１０が医療施設６２の外へ出ると考えると、検出順序は屋内リーダ７０が最初で屋外リーダ７２が後である。他方、ＭＢＡＮ１０が外から医療施設６２の中に戻るとき、検出順序は屋外リーダ７２が最初で屋内リーダ７０が後である。
【００５９】
両ＲＦＩＤリーダ７０，７２は検出されるＲＦＩタグ識別子をタイムスタンプと一緒にＭＢＡＮアプリケーションサーバ４０へ適切に報告する。ＭＢＡＮアプリケーションサーバ４０において、ＭＢＡＮ１０に対して報告される全ＲＦＩＤ検出イベント（ＭＢＡＮテーブル若しくはデータベース４２に登録される）はそのタイムスタンプに基づいてソートされる。最近報告されたＲＦＩＤ検出イベントが例示の屋外ＲＦＩＤリーダ７２などの屋外ＲＦＩＤリーダからである場合、ＭＢＡＮアプリケーションサーバ４０はＭＢＡＮの施設内状態を"施設外"と設定することによってＭＢＡＮテーブル４２を更新しデフォルト値"２３６０‐２３９０ＭＨｚ利用不可能及び２３９０‐２４００ＭＨｚ利用可能"とともにＭＢＡＮスペクトル可用性更新コマンドをＭＢＡＮ１０へ送信する。先と同様に、実施例においてこれは更新Ｅキー５０をＭＢＡＮ１０へ送信することによってなされ得る。ＭＢＡＮ１０のハブデバイス１４がこのコマンドを得ると、現在使用されているチャネルが２３６０‐２３９０ＭＨｚスペクトル内にあるかどうかをチェックし、そうであればチャネルスイッチオペレーションによって制限スペクトルの外へ出る。
【００６０】
同様に、最近報告されたＲＦＩＤ検出イベントが例示の屋内ＲＦＩＤリーダ７０などの屋内ＲＦＩＤリーダからである場合、ＭＢＡＮアプリケーションサーバ４０はＭＢＡＮ１０の施設内状態を"施設内"と設定することによってＭＢＡＮテーブル４２を更新し、ＭＢＡＮスペクトル可用性更新コマンド（例えば更新Ｅキー）を２３６０‐２４００ＭＨｚスペクトルで現在利用可能なスペクトルについての情報とともにＭＢＡＮ１０へ送信する。
【００６１】
図２に図示される例示区域８０など、一部の特殊区域も存在することができ、ここでは制限される２３６０‐２３９０ＭＨｚスペクトルにおけるＭＢＡＮオペレーションは望ましくない。例えば、ＡＭＴレシーバサイトの方を向く窓の近くでそのサイトによって提供されるＡＭＴサービスを保護するためにＭＢＡＮオペレーションを回避したいかもしれない。このような場合、２３６０‐２３９０ＭＨｚスペクトルにおけるＭＢＡＮオペレーションが禁止される区域８０（本明細書では禁止区域８０とも呼ばれる）をカバーする禁止区域ＲＦＩＤリーダ８２が適切に設置される。患者が禁止区域８０に入る場合、禁止区域ＲＦＩＤリーダ８２はハブデバイス１４の若しくは他の方法で患者ＰのＭＢＡＮ１０とともに配置されるＲＦＩＤタグ６０を検出する。ＲＦＩＤリーダ８２は検出されるＲＦＩＤタグ識別子をタイムスタンプと一緒にＭＢＡＮアプリケーションサーバ４０へ適切に報告する。ＭＢＡＮアプリケーションサーバ４０において、ＭＢＡＮ１０の報告される全ＲＦＩＤ検出イベント（先と同様にＭＢＡＮテーブル４２に登録される）はそのタイムスタンプに基づいてソートされる。最近報告されたＲＦＩＤ検出イベントがＲＦＩＤリーダ８２などの禁止区域ＲＦＩＤリーダからである場合、ＭＢＡＮアプリケーションサーバ４０はＭＢＡＮ１０の施設内状態を"禁止区域"と設定することによってＭＢＡＮテーブル４２を更新し、ＭＢＡＮスペクトル可用性更新コマンド（例えば更新Ｅキー）をデフォルト値"２３６０‐２３９０ＭＨｚ利用不可能及び２３６０‐２４００ＭＨｚ利用可能"とともにＭＢＡＮ１０へ送信する。ＭＢＡＮハブデバイス１４がこのコマンドを得ると、これはそのローカルスペクトル可用性パラメータを更新し、現在使用されているチャネルが２３６０‐２３９０ＭＨｚスペクトル内にあるかどうかをチェックし、そうであればチャネルスイッチオペレーションによって制限スペクトルの外へ出る。
【００６２】
患者がその後禁止区域８０から出る場合、禁止区域ＲＦＩＤリーダ８２は患者Ｐの上のハブデバイス１４のＲＦＩＤタグ６０をもはや検出することができない。ＲＦＩＤリーダ８２は検出されるＭＢＡＮ変化（外へ出ること）をＭＢＡＮアプリケーションサーバ４０へ報告する。ＭＢＡＮアプリケーションサーバ４０において、ＭＢＡＮ１０の報告される全ＲＦＩＤ検出イベントはそのタイムスタンプに基づいてソートされる。最近報告されたＲＦＩＤ検出イベントが禁止区域ＲＦＩＤリーダからでありこれが"外へ出る"イベントである場合、ＭＢＡＮアプリケーションサーバ４０はＭＢＡＮ１０の施設内状態を"禁止区域"から"施設内"へ変えることによってＭＢＡＮテーブル４２を更新し、ＭＢＡＮスペクトル可用性更新コマンド（例えば更新Ｅキー）を２３６０‐２４００ＭＨｚで現在利用可能なスペクトルについての情報とともにそのＭＢＡＮへ送信する。ＭＢＡＮハブデバイスがこのコマンドを得ると、これはそのローカルスペクトル可用性パラメータを更新する。
【００６３】
本願は１つ以上の好適な実施形態を記載している。修正及び変更は先の詳細な説明を読んで理解することで想到され得る。本願はかかる修正及び変更が添付の請求項若しくはその均等物の範囲内にある限り全て含むと解釈されることが意図される。
【図１】
2013524712.tif 000003
【図２】
2013524712.tif 000004
【国際調査報告】
2013524712.tif 000005
2013524712.tif 000006
2013524712.tif 000007